(57)【要約】【課題】日時の経過に伴い来訪者情報が増加してきた場合、来訪者情報の評価結果に適した来訪者情報処理を可能とするドアホン装置及びドアホン装置の情報処理方法を提供する。【解決手段】来訪者が検知されると（Ｓ１１）、子機のカメラによって来訪者の顔画像が取得され（Ｓ１２）、親機に対応する来訪者情報が記憶されていなければ（Ｓ１４：ＮＯ）、評価情報（Ｓ２４）をつけて顔画像データと顔特徴データが新規に記憶される（Ｓ２５）。親機に対応する来訪者情報が記憶されていれば（Ｓ１４：ＹＥＳ）、記憶している情報の更新処理が実行される（Ｓ１５〜Ｓ２０）。来訪者情報記憶エリアの記憶可能容量値（Ｓ２８）が所定値以下になった場合（Ｓ２９：ＹＥＳ）、評価結果が“良い”来訪者情報を優先的に圧縮処理し（Ｓ４０）、評価結果が“悪い”来訪者情報をできるだけ多く記憶維持させる。【選択図】  図７
2010087695.tif 000002
【特許請求の範囲】
【請求項１】
住居内に備えられたドアホン装置について、
来訪者を検出する来訪者検出手段と、
前記来訪者検出手段により検出された前記来訪者を識別する識別情報を取得する識別情報取得手段と、
前記識別情報取得手段により取得した前記識別情報と、前記来訪者を評価した評価情報とを関連付けた来訪者情報を記憶した来訪者情報記憶手段と、
前記評価情報に基づいて前記来訪者情報記憶手段への前記来訪者情報の記憶形態を異にさせる処理をする来訪者情報処理手段を備えることを特徴とするドアホン装置。
【請求項２】
前記来訪者情報記憶手段に追加記憶が可能な容量である記憶可能容量値を取得する記憶可能容量値取得手段と、
前記記憶可能容量値取得手段により取得した前記記憶可能容量値が、所定値以下かどうかを判定する判定手段を備え、
前記来訪者情報処理手段は、前記判定手段により前記記憶可能容量値が所定値以下であると判定された場合に、前記来訪者情報の前記処理を行うことを特徴とする請求項１に記載のドアホン装置。
【請求項３】
前記来訪者情報記憶手段は、前記来訪者情報を計時手段から取得した計時情報とともに記憶し、
前記来訪者情報処理手段は、前記来訪者情報記憶手段に記憶している前記来訪者情報の計時情報が所定期間以前のものである場合に、前記来訪者情報の前記処理をすることを特徴とする請求項１乃至２のいずれかに記載のドアホン装置。
【請求項４】
前記来訪者に関する前記評価情報を入力する来訪者情報入力手段と、
前記来訪者情報入力手段により入力された前記評価情報と、前記識別情報取得手段により取得された識別情報とを関連付けた前記来訪者情報を前記来訪者情報記憶手段に記憶させる来訪者情報記憶処理手段とを備えたことを特徴とする請求項１乃至３のいずれかに記載のドアホン装置。
【請求項５】
前記識別情報取得手段は、少なくとも前記来訪者の顔画像情報と顔特徴情報とを含む前記識別情報を取得することを特徴とする請求項１乃至４のいずれかに記載のドアホン装置。
【請求項６】
前記来訪者情報は、少なくとも、前記来訪者の不審度が高いと評価した前記評価情報である第１評価値と、前記来訪者の不審度が低いと評価した前記評価情報である第２評価値とに関連付けて、前記来訪者情報記憶手段に記憶されていることを特徴とする請求項１乃至５のいずれかに記載のドアホン装置。
【請求項７】
前記来訪者情報処理手段は、少なくとも前記第２評価値に関連付けた前記来訪者情報の容量を圧縮する圧縮処理を行うことを特徴とする請求項６に記載のドアホン装置。
【請求項８】
前記来訪者情報が圧縮処理をされている状態かどうかを判別する圧縮状態判別手段を備え、
前記来訪者情報処理手段は、前記第２評価値に関連付けされ、且つ前記圧縮状態判別手段により圧縮されていない状態であると判別された前記来訪者情報のうち古い来訪者情報の圧縮処理を行うことを特徴とする請求項７に記載のドアホン装置。
【請求項９】
前記来訪者情報が圧縮処理をされている状態かどうかを判別する圧縮状態判別手段を備え、
前記来訪者情報処理手段は、前記圧縮状態判別手段により前記第２評価値に関連付けされ、少なくとも所定期間以前の計時情報に対応した前記来訪者情報が全て圧縮されている状態であると判別された場合、前記第１評価値に関連付けされた前記来訪者情報のうち古い来訪者情報の圧縮処理を行うことを特徴とする請求項７乃至８のいずれかに記載のドアホン装置。
【請求項１０】
前記来訪者情報処理手段は、前記圧縮状態判別手段により前記来訪者情報記憶手段に記憶されている、少なくとも所定期間以前の計時情報に対応した前記来訪者情報が、全て圧縮されている状態であると判別された場合、前記第２評価値に関連付けされた前記来訪者情報のうち古い来訪者情報の削除処理を行うことを特徴とする請求項８乃至９のいずれかに記載のドアホン装置。
【請求項１１】
前記来訪者情報処理手段は、前記来訪者情報記憶手段に記憶している前記来訪者情報の計時情報が前記所定期間以前のものである場合に、前記来訪者情報の削除処理を行うことを特徴とする請求項３に記載のドアホン装置。
【請求項１２】
前記来訪者情報処理手段は、前記判定手段により前記記憶可能容量値が所定値以上であると判定されるまで、前記来訪者情報の前記処理を継続することを特徴とする請求項２に記載のドアホン装置。
【請求項１３】
コンピュータを、前記請求項１乃至１２のいずれかに記載のドアホン装置における各手段として機能させるためのプログラム。
【請求項１４】
住居内に備えられたドアホン装置の情報処理方法について、
来訪者を検出する来訪者検出ステップと、
前記来訪者検出ステップにより検出された前記来訪者を識別する識別情報を取得する識別情報取得ステップと、
前記識別情報取得ステップにより取得した前記識別情報と、前記来訪者を評価した評価情報とを関連付けた来訪者情報を、前記ドアホンに備えられた来訪者情報記憶手段に記憶するステップと、
前記評価情報に基づいて前記来訪者情報記憶手段への前記来訪者情報の記憶形態を異にさせる処理をする来訪者情報処理ステップを有するドアホン装置の情報処理方法。
【請求項１５】
前記来訪者情報記憶手段に追加記憶が可能な容量である記憶可能容量値を取得する記憶可能容量値取得ステップと、
前記記憶可能容量値取得ステップにより取得した前記記憶可能容量値が、所定値以下かどうかを判定する判定ステップを備え、
前記来訪者情報処理ステップは、前記判定ステップにより前記記憶可能容量値が所定値以下であると判定された場合に、前記来訪者情報の前記処理を行うことを特徴とする請求項１４に記載のドアホン装置の情報処理方法。
【発明の詳細な説明】
【技術分野】
【０００１】
本発明は、住居等に設置するドアホン装置に関し、特に、来訪者の評価をした来訪者情報が記憶されており、来訪者の評価に合わせた来訪者情報処理を可能とするドアホン装置、コンピュータをドアホン装置における各手段として機能させるためのプログラム、及びドアホン装置の情報処理方法に関する。
【背景技術】
【０００２】
従来、例えば、住宅の室外に設置される子機と、室内に設置される親機とを備えたドアホン装置が知られている。このうち、子機が備えるカメラで来訪者を撮像し、撮像された来訪者の画像を親機の備えるモニタに表示可能なものがある。このようなドアホン装置は、室内に居るユーザが、モニタに表示された来訪者の顔を見て、来訪者が誰であるのかを確認し、適切な応対ができるようにすることを主な目的としている。
【０００３】
また、子機のカメラで撮像した来訪者の画像を、その来訪者が、不審者かそうでないか等の評価情報と対応付けした来訪者情報として記憶しておき、同来訪者が再来訪の時に、室内の親機の表示モニタに評価情報を含む来訪者情報を表示して、応対前にユーザに警告できるドアホン装置も提案されている。
【特許文献１】特開２００４−５４５３６号公報
【発明の開示】
【発明が解決しようとする課題】
【０００４】
しかしながら、上記特許文献１の装置では、日時の経過に伴い来訪者情報が増加してきた場合、来訪日時が古く不要となった来訪者情報もそのまま残り、装置の記憶媒体の記憶可能容量を超えると、装置が機能しなくなるという課題がある。また、上記特許文献１のシステムに記載されている様なサーバが存在せず、ドアホン装置単体で使用する場合では、特に記憶容量が制限されるので、少人数の来訪者情報を記憶しただけでも、記憶可能容量を超えてしまい、より早く装置が機能しなくなるという課題がさらに発生する。また、単に記憶容量を確保するために、来訪日時が古い情報から順に削除した場合は、ユーザにとって防犯上重要な不審者情報が、時間の経過と共に消されてしまうという問題も出てくる。
【０００５】
本発明は、上記問題点を解決するためになされたものであり、来訪者情報の評価結果に適した来訪者情報処理を可能とするドアホン装置、コンピュータをドアホン装置における各手段として機能させるためのプログラム、及びドアホン装置の情報処理方法を提供することを目的とする。
【０００６】
上記目的を達成するために、請求項１に係る発明のドアホン装置は、来訪者を検出する来訪者検出手段と、前記来訪者検出手段により検出された前記来訪者を識別する識別情報を取得する識別情報取得手段と、前記識別情報取得手段により取得した前記識別情報と、前記来訪者を評価した評価情報とを関連付けた来訪者情報を記憶した来訪者情報記憶手段と、前記評価情報に基づいて前記来訪者情報記憶手段への前記来訪者情報の記憶形態を異にさせる処理をする来訪者情報処理手段を備えることを特徴とする。
【０００７】
請求項２に係る発明のドアホン装置は、請求項１に記載の発明の構成に加え、前記来訪者情報記憶手段に追加記憶が可能な容量である記憶可能容量値を取得する記憶可能容量値取得手段と、前記記憶可能容量値取得手段により取得した前記記憶可能容量値が、所定値以下かどうかを判定する判定手段を備え、前記来訪者情報処理手段は、前記判定手段により前記記憶可能容量値が所定値以下であると判定された場合に、前記来訪者情報の前記処理を行うことを特徴とする。
【０００８】
請求項３に係る発明のドアホン装置は、請求項１乃至２のいずれかに記載の発明の構成に加え、前記来訪者情報記憶手段は、前記来訪者情報を計時手段から取得した計時情報とともに記憶し、前記来訪者情報処理手段は、前記来訪者情報記憶手段に記憶している前記来訪者情報の計時情報が所定期間以前のものである場合に、前記来訪者情報の前記処理をすることを特徴とする。
【０００９】
請求項４に係る発明のドアホン装置は、請求項１乃至３のいずれかに記載の発明の構成に加え、前記来訪者に関する前記評価情報を入力する来訪者情報入力手段と、前記来訪者情報入力手段により入力された前記評価情報と、前記識別情報取得手段により取得された識別情報とを関連付けた前記来訪者情報を前記来訪者情報記憶手段に記憶させる来訪者情報記憶処理手段とを備えたことを特徴とする。
【００１０】
請求項５に係る発明のドアホン装置は、請求項１乃至４のいずれかに記載の発明の構成に加え、前記識別情報取得手段は、少なくとも前記来訪者の顔画像情報と顔特徴情報とを含む前記識別情報を取得することを特徴とするドアホン装置。
【００１１】
請求項６に係る発明のドアホン装置は、請求項１乃至５のいずれかに記載の発明の構成に加え、前記来訪者情報は、少なくとも、前記来訪者の不審度が高いと評価した前記評価情報である第１評価値と、前記来訪者の不審度が低いと評価した前記評価情報である第２評価値とに関連付けて、前記来訪者情報記憶手段に記憶されていることを特徴とする。
【００１２】
請求項７に係る発明のドアホン装置は、請求項６に記載の発明の構成に加え、前記来訪者情報処理手段は、少なくとも前記第２評価値に関連付けた前記来訪者情報の容量を圧縮する圧縮処理を行うことを特徴とする。
【００１３】
請求項８に係る発明のドアホン装置は、請求項７に記載の発明の構成に加え、前記来訪者情報が圧縮処理をされている状態かどうかを判別する圧縮状態判別手段を備え、前記来訪者情報処理手段は、前記第２評価値に関連付けされ、且つ前記圧縮状態判別手段により圧縮されていない状態であると判別された前記来訪者情報のうち古い来訪者情報の圧縮処理を行うことを特徴とする。
【００１４】
請求項９に係る発明のドアホン装置は、請求項７乃至８のいずれかに記載の発明の構成に加え、前記来訪者情報が圧縮処理をされている状態かどうかを判別する圧縮状態判別手段を備え、前記来訪者情報処理手段は、前記圧縮状態判別手段により前記第２評価値に関連付けされ、少なくとも所定期間以前の計時情報に対応した前記来訪者情報が全て圧縮されている状態であると判別された場合、前記第１評価値に関連付けされた前記来訪者情報のうち古い来訪者情報の圧縮処理を行うことを特徴とする。
【００１５】
請求項１０に係る発明のドアホン装置は、請求項８乃至９のいずれかに記載の発明の構成に加え、前記来訪者情報処理手段は、前記圧縮状態判別手段により前記来訪者情報記憶手段に記憶されている、少なくとも所定期間以前の計時情報に対応した前記来訪者が、全て圧縮されている状態であると判別された場合、前記第２評価値に関連付けされた前記来訪者情報のうち古い来訪者情報の削除処理を行うことを特徴とする。
【００１６】
請求項１１に係る発明のドアホン装置は、請求項３に記載の発明の構成に加え、前記来訪者情報処理手段は、前記来訪者情報記憶手段に記憶している前記来訪者情報の計時情報が前記所定期間以前のものである場合に、前記来訪者情報の削除処理を行うことを特徴とする。
【００１７】
請求項１２に係る発明のドアホン装置は、請求項２に記載の発明の構成に加え、前記来訪者情報処理手段は、前記判定手段により前記記憶可能容量値が所定値以上であると判定されるまで、前記来訪者情報の前記処理を継続することを特徴とする。
【００１８】
請求項１３に係る発明のプログラムは、請求項１乃至１２のいずれかに記載の発明の構成に加え、コンピュータをドアホン装置における各手段として機能させるためのプログラムである。
【００１９】
請求項１４に係る発明のドアホン装置の情報処理方法は、来訪者を検出する来訪者検出ステップと、前記来訪者検出ステップにより検出された前記来訪者を識別する識別情報を取得する識別情報取得ステップと、前記識別情報取得ステップにより取得した前記識別情報と、前記来訪者を評価した評価情報とを関連付けた来訪者情報を、前記ドアホンに備えられた来訪者情報記憶手段に記憶するステップと、前記評価情報に基づいて前記来訪者情報記憶手段への前記来訪者情報の記憶形態を異にさせる処理をする来訪者情報処理ステップを有する。
【００２０】
請求項１５に係る発明のドアホン装置の情報処理方法は、請求項１４に記載の発明の構成に加え、前記来訪者情報記憶手段に追加記憶が可能な容量である記憶可能容量値を取得する記憶可能容量値取得ステップと、前記記憶可能容量値取得ステップにより取得した前記記憶可能容量値が、所定値以下かどうかを判定する判定ステップを備え、前記来訪者情報処理ステップは、前記判定ステップにより前記記憶可能容量値が所定値以下であると判定された場合に、前記来訪者情報の前記処理を行うことを特徴とする。
【発明の効果】
【００２１】
請求項１に係る発明のドアホン装置では、来訪者を検出して、検出された前記来訪者を識別する識別情報を取得し、前記識別情報と前記来訪者を評価した評価情報とを関連付けた来訪者情報を来訪者情報記憶手段に記憶する。そして前記評価情報に基づいて前記来訪者情報記憶手段への前記来訪者情報の記憶形態を異にさせる処理をすることができる。したがって、ドアホン装置を使用するユーザは、来訪者の評価情報に適した情報記憶形態にて来訪者情報を保持することができる。
【００２２】
請求項２に係る発明のドアホン装置では、前記来訪者情報記憶手段に追加記憶が可能な容量である記憶可能容量値を取得し、前記記憶可能容量値が、所定値以下かどうかを判定する。そして前記記憶可能容量値が所定値以下であると判定された場合に、前記来訪者情報の処理を行うことができる。したがって、請求項１に記載の発明の効果に加え、ドアホン装置を使用するユーザは、前記来訪者情報記憶手段の記憶可能容量値に合わせて、前記来訪者情報を処理することができ、最適な情報記憶形態にて来訪者情報を保持することができる。
【００２３】
請求項３に係る発明のドアホン装置では、前記来訪者情報記憶手段は、前記来訪者情報を計時手段から取得した計時情報とともに記憶し、前記来訪者情報記憶手段に記憶している前記来訪者情報の計時情報が所定期間以前のものである場合に、前記来訪者情報の前記処理をすることができる。したがって、請求項１乃至２のいずれかに記載の発明の効果に加え、ドアホン装置を使用するユーザは、所定期間以前の来訪者情報の処理ができるので、最新の来訪者情報はそのまま記憶形態を維持しながら、不要になった可能性が高い来訪者情報を対象として、最適な情報記憶形態にて来訪者情報を保持することができる。
【００２４】
請求項４に係る発明のドアホン装置では、前記来訪者に関する前記評価情報を入力することができ、入力された前記評価情報と、識別情報とを関連付けた前記来訪者情報を前記来訪者情報記憶手段に記憶させることができる。したがって、請求項１乃至３のいずれかに記載の発明の効果に加え、ドアホン装置を使用するユーザは、来訪者情報が無い初めての来訪者が来訪した場合、来訪者に関する評価情報を入力して、新たに来訪者情報を追加することができる。
【００２５】
請求項５に係る発明のドアホン装置では、少なくとも前記来訪者の顔画像情報と顔特徴情報とを含む前記識別情報を取得することができる。したがって、請求項１乃至４のいずれかに記載の発明の効果に加え、ドアホン装置のユーザは、来訪者の来訪時に取得した顔特徴情報と来訪者情報記憶手段に記憶されている来訪者情報との照合結果により特定された来訪者情報を、顔画像と同時に確認することができるので、応対者はその情報を見て、適切な応対方法を決定することができる。
【００２６】
請求項６に係る発明のドアホン装置では、前記来訪者情報は、少なくとも、前記来訪者の不審度が高いと評価した前記評価情報である第１評価値と、前記来訪者の不審度が低いと評価した前記評価情報である第２評価値とに関連付けて、前記来訪者情報記憶手段に記憶することができる。したがって、請求項１乃至５のいずれかに記載の発明の効果に加え、ドアホン装置を使用するユーザは、来訪者情報を見ることで、不審度の高い来訪者か低い来訪者かを知ることができ、特に不審度の高い来訪者の場合は、適切な警戒措置を行うことができる。
【００２７】
請求項７に係る発明のドアホン装置では、少なくとも前記第２評価値に関連付けた前記来訪者情報の容量を圧縮する圧縮処理を行うことができる。したがって、請求項６の発明の効果に加え、ドアホン装置を使用するユーザは、あまり重要では無くなった不審度の低い来訪者情報の容量を減らして、より適切な情報記憶形態にて来訪者情報を保持することができる。
【００２８】
請求項８に係る発明のドアホン装置では、前記来訪者情報が圧縮処理をされている状態かどうかを判別し、前記第２評価値に関連付けされ、且つ圧縮されていない状態であると判別された前記来訪者情報のうち古い来訪者情報の圧縮処理を行うことができる。したがって、請求項７の発明の効果に加え、ドアホン装置を使用するユーザは、あまり重要でない不審度が低く、且つ計時情報の古い来訪者情報から情報容量を減らすことができるので、より適切な情報記憶形態にて来訪者情報を保持することができる。
【００２９】
請求項９に係る発明のドアホン装置では、前記来訪者情報が圧縮処理をされている状態かどうかを判別し、前記第２評価値に関連付けされ、少なくとも所定期間以前の計時情報に対応した前記来訪者情報が全て圧縮されている状態であると判別された場合、前記第１評価値に関連付けされた前記来訪者情報のうち古い来訪者情報の圧縮処理を行うことができる。したがって、請求項７乃至８のいずれかに記載の発明の効果に加え、ドアホン装置を使用するユーザは、不審度が低い来訪者情報の中で、少なくとも所定期間以前の計時情報に対応した全ての情報を圧縮処理した後、不審度が高くても不要となった可能性が高い計時情報の古い来訪者情報から圧縮処理することができるので、より適切な情報記憶形態にて来訪者情報を保持することができる。
【００３０】
請求項１０に係る発明のドアホン装置では、前記来訪者情報記憶手段に記憶されている、少なくとも所定期間以前の計時情報に対応した前記来訪者が、全て圧縮されている状態であると判別された場合、前記第２評価値に関連付けされた前記来訪者情報のうち古い来訪者情報の削除処理を行うことができる。したがって、請求項８乃至９のいずれかに記載の発明の効果に加え、ドアホン装置を使用するユーザは、所定期間以前の計時情報に対応した全ての来訪者情報を圧縮処理した後でも、最も不要となった可能性が高い、不審度が低くて計時情報が古い来訪者情報から、削除することができる。
【００３１】
請求項１１に係る発明のドアホン装置では、前記来訪者情報記憶手段に記憶している前記来訪者情報の計時情報が前記所定期間以前のものである場合に、前記来訪者情報の削除処理を行うことができる。したがって、請求項３に記載の発明の効果に加え、ドアホン装置を使用するユーザは、極端に計時情報が古い来訪者情報を削除処理することができる。
【００３２】
請求項１２に係る発明のドアホン装置では、前記記憶可能容量値が所定値以上であると判定されるまで、前記来訪者情報の前記処理を継続することができる。したがって、請求項２に記載の発明の効果に加え、ドアホン装置を使用するユーザは、確実に来訪者情報記憶手段の記憶可能容量を所定値以下にすることができ、より適切な情報記憶形態にて来訪者情報を保持することができる。
【００３３】
請求項１３に係る発明のプログラムでは、コンピュータを、ドアホン装置における各手段として機能させることができる。したがって、請求項１乃至１２のいずれかに記載の発明の効果に加え、ドアホン装置を使用するユーザは、適切な情報記憶形態にて来訪者情報を保持することができる。
【００３４】
請求項１４に係る発明のドアホン装置の情報処理方法について、来訪者を検出し、検出された前記来訪者を識別する識別情報を取得する。そして、取得した前記識別情報と、前記来訪者を評価した評価情報とを関連付けた来訪者情報を、前記ドアホンに備えられた来訪者情報記憶手段に記憶し、前記評価情報に基づいて前記来訪者情報記憶手段への前記来訪者情報の記憶形態を異にさせる処理をすることができる。したがって、ドアホン装置を使用するユーザは、来訪者の評価情報に適した情報記憶形態にて来訪者情報を保持することができる。
【００３５】
請求項１５に係る発明のドアホン装置の情報処理方法について、前記来訪者情報記憶手段に追加記憶が可能な容量である記憶可能容量値を取得し、取得した前記記憶可能容量値が、所定値以下かどうかを判定する。そして前記記憶可能容量値が所定値以下であると判定された場合に、前記来訪者情報の前記処理を行うことがきる。したがって、請求項１４に記載の発明の効果に加え、ドアホン装置を使用するユーザは、前記来訪者情報記憶手段の記憶可能容量値に合わせて、前記来訪者情報を処理することができ、最適な情報記憶形態にて来訪者情報を保持することができる。
【発明を実施するための最良の形態】
【００３６】
以下、本発明を具体化したドアホン装置１の実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００３７】
図１を参照して、ドアホン装置１の概略構成について説明する。本実施形態のドアホン装置１は、図１に示すように、信号線３０を介して接続された子機１０および親機２０で構成されている。住宅、会社、ビル等において、子機１０は室外に設置され、親機２０は、室内に設置される。子機１０と親機２０との間で通話が可能であるため、室内に居るユーザは、入口を開けることなく室外の来訪者に応対することができる。
【００３８】
図１を参照して、子機１０について説明する。子機１０は、略直方体形状の筐体を備えており、筐体の正面（来訪者に対向する面）には、マイク１１１、スピーカ１１２、カメラ１１３、呼出ボタン１１４、および赤外ＬＥＤ照明１１６が設けられている。それらは、ＣＰＵ１０１、ＲＯＭ１０２、ＲＡＭ１０３、および通信装置１５０とバスで相互に接続されている。
【００３９】
ＣＰＵ１０１は、子機１０全体の制御を司る。ＲＯＭ１０２は、子機１０の基本的な動作に必要なプログラムやそのための設定値を記憶している。ＣＰＵ１０１は、ＲＯＭ１０２に記憶されたプログラムに従って、子機１０の動作を制御する。ＲＡＭ１０３は、各種データを一時的に記憶するための記憶装置である。
【００４０】
マイク１１１は、入力された来訪者の音声を音声信号に変換し、通信装置１５０を介して親機２０に出力する機器である。スピーカ１１２は、親機２０から入力された音声信号を、音声に変換して出力する機器である。
【００４１】
カメラ１１３は、例えば、周知のＣＣＤカメラであり、子機１０の正面の所定の撮像範囲を撮像し、撮像した画像の画像信号を、通信装置１５０を介して親機２０に出力する。所定の撮像範囲は、例えば、通常倍率での撮像時に子機１０の正面に対向して立った来訪者の顔が位置すると予測される領域を含むように予め設定されている。呼出ボタン１１４は、来訪者が室内に居るユーザを呼び出すためのボタンである。呼出ボタン１１４が押下げられると、呼出信号が通信装置１５０を介して親機２０に送信される。
【００４２】
赤外ＬＥＤ照明１１６は照度センサを備えており、検出された照度が所定の閾値より低い場合に、子機１０近傍を照明するために点灯する。通信装置１５０は、親機２０との間で、信号線３０を介して、制御信号、画像信号、および音声信号を含む各種信号の送受信を行う装置である。
【００４３】
次に、図２を参照して、親機２０の物理的構成について説明する。親機２０は、直方体形状の筐体２０５を備えている。筐体２０５の正面の中央下部には、マイク２１１およびスピーカ２１２が設けられている。また、筐体２０５の正面上部には、表示モニタ２１３が設けられている。また、筐体２０５の正面下部には、通話ボタン２１４設けられている。
【００４４】
通話ボタン２１４は、室内に居るユーザが、子機に対面している来訪者と通話可能状態にする場合に押すボタンである。マイク２１１は、室内ユーザの音声を、音声信号に変換し、第１通信装置２５０を介して子機１０に出力する機器である。スピーカ２１２は、子機１０から入力された音声信号を、音声に変換して出力する機器である。表示モニタ２１３は、例えば、液晶パネルと駆動回路、および入力位置を検知可能な入力装置であるタッチパッドが少なくとも一部に内蔵された表示装置である。子機１０のカメラ１１３によって撮像された撮像領域の画像や、親機に記憶されている各種表示情報が表示される表示装置であり、また、情報を入力するための入力装置でもあり、ユーザが指で画像上の操作ボタンに触れると、その位置がタッチパッドにより検知され、対応する情報が入力される。
【００４５】
図１に示すように、親機２０においてマイク２１１、スピーカ２１２、表示モニタ２１３、通話ボタン２１４は、ＣＰＵ２０１、ＲＯＭ２０２、ＲＡＭ２０３、計時手段２１５、フラッシュＲＯＭ２２０、第１通信装置２５０とバスで相互に接続されている。
【００４６】
ＣＰＵ２０１は、親機２０全体の制御を司る。ＲＯＭ２０２は、後述するメイン処理を含む各種処理を親機２０に実行させるために必要なプログラムや、そのための設定値を記憶している。ＣＰＵ２０１は、ＲＯＭ２０２に記憶されたプログラムに従って、親機２０の動作を制御する。ＲＡＭ２０３は、各種データを一時的に記憶するための記憶装置である。フラッシュＲＯＭ２２０は、不揮発性の半導体メモリである。
【００４７】
計時手段２１５は、日時情報をカウントする時計機能を備えた手段である。通信装置２５０は、子機１０との間で、信号線３０を介して、制御信号、画像信号、および音声信号を含む各種信号の送受信を行う装置である。
【００４８】
次に図３〜６を参照して、フラッシュＲＯＭ２２０について説明する。
【００４９】
まず、図４に示すように、フラッシュＲＯＭ２２０は、来訪者情報記憶エリア２２１、表示画面記憶エリア２２２を含む複数の記憶エリアで構成されている。
【００５０】
図５を参照し、フラッシュＲＯＭ２２０の来訪者情報記憶エリア２２１に記憶されている来訪者情報１２１０、１２１１について説明する。
【００５１】
来訪者情報１２１０、１２１１には、複数の人物の顔の特徴を示すデータである顔情報と、その人物に関する情報である関連情報とを対応付けて記憶されている。図５に示すように、関連情報として、訪問者ＩＤ欄、訪問者名欄、評価欄、データ形態欄、来訪日時欄が設けられている。
【００５２】
訪問者ＩＤ欄には、各来訪者データを識別するための固有情報であるＩＤが記憶される。本実施形態では、来訪者情報が追加されるとＩＤ番号が連番で採番され、来訪者情報１２１０、１２１１の最上位行に追加されるものとする。訪問者名には、顔情報データ抽出元の人物の氏名が記憶されている。訪問者名の登録処理については後述する。
【００５３】
評価欄には、来訪者の来訪時に、室内にいるユーザが来訪者に対して評価した評価結果が記憶される。評価結果の記憶方法については、初めての訪問の来訪者が来訪した場合、図３に示す表示モニタ２１３に表示情報２１７が表示され、評価情報を入力するための表示情報“悪い”２１８、“良い”２１９を操作して、室内に居るユーザは、来訪者に対する評価結果を入力する。室内にいるユーザが来訪者の不審度が低いと評価し、表示情報“良い”２１９の画面をタッチする。または来訪者の不審度が高いと評価し、表示情報“悪い”２１８の画面をタッチすると、対応する評価結果が来訪者情報１２１０、１２１１のいずれかに記憶される。
【００５４】
また、本実施形態の図５では、評価情報の“良い”と“悪い”に対応した来訪者情報を、評価情報“良い”に対応した来訪者情報１２１０と、評価情報“悪い”に対応した来訪者情報１２１１に分類しているが、上記の様な情報の分類は、あくまで説明便宜上の一実施形態であり、必ずしも分類して記憶する必要はない。
【００５５】
次に、顔情報欄には、図示は省略するが、子機１０のカメラ１１３により撮像された来訪者の顔の画像データと、顔の特徴データとして、例えば、眉、目、鼻、口等の位置や形状を示す数値データが記憶され、来訪者を照合する為の情報として使用される。また、上記画像データや、特徴データは、データの形態を異ならせて記憶することができ、データ形態欄には後述するデータ形態情報１２１２に対応した形態ＩＤが記憶されている。
【００５６】
図６を参照して、フラッシュＲＯＭ２２０の来訪者情報記憶エリア２２１に記憶されているデータ形態情報１２１２について説明する。
【００５７】
形態ＩＤは、本実施形態では、１、２、３の種類があり、ＩＤ：１は、データ形態が初期データ状態を示し、図面便宜上（＊＊＊）と表すこととする。初期データ状態とは、子機２０から顔情報データを取得した時のデータの状態であり、データの種類としては汎用的なＢＭＰやＪＰＧ等が使用される。また、ＩＤ：２は、圧縮処理を施した形態であり、図面便宜上（＋＋＋）で表す。ここで言う圧縮処理は、一般的な汎用技術で良く、例えば、初期データがＢＭＰやＪＰＧ等なら、高圧縮ＪＰＧにデータ形態を変える圧縮技術等が適している。また、ＩＤ：３は顔情報の内の画像データを削除して、圧縮された顔特徴データのみ記憶した形態である。また、本実施形態では、説明便宜上、データ種類を３種類としたが、これに限るものではなく、またデータサイズをそれぞれ、ＩＤ：１は１００、ＩＤ：２は５０、ＩＤ：３は２５とするが、これに限るものでは無い。
【００５８】
また、来訪者情報１２１０、１２１１の来訪日時欄には、前回来訪日時として、来訪者が前回このドアホン装置１が設置されている住宅や会社を訪問した日時情報が記憶される。
【００５９】
以下に、図７を参照して、ドアホン装置１の親機２０において実行されるメイン処理について説明する。
【００６０】
まず、来訪者が検知されたかどうかが判断される（Ｓ１１）。来訪者が子機１０の呼出ボタン１１４（図１）を押すと来訪者が来訪したと検知し、子機１０のカメラ１１３により顔画像情報が取得される。そして、その顔画像が子機１０から親機２０へ送信され、親機２０により顔画像が取得され、ＲＡＭ２０３に一時記憶される（Ｓ１２）。そして、来訪者情報１２１０、１２１１に記憶されている顔情報の特徴データと照合される（Ｓ１３）。
【００６１】
ここで、顔画像の照合方法は、公知の各種方法を用いることができるが、その一例を説明する。まず、子機１０のカメラ１１３（図１参照）によって撮影された顔画像から、顔画像の特徴データ、詳細には目、眉毛、鼻、及び口を特徴とし訪問者の顔の特徴量データを抽出する。具体的には、特徴データは、顔画像の目、眉毛、鼻、及び口に点を打ち、各特徴点の方向や、各特徴点間の間隔を数値化することにより抽出される。さらに、その抽出された顔画像の特徴データと、フラッシュＲＯＭ２２０の来訪者情報１２１０、１２１１の顔情報に含まれる特徴データに記憶されている目、眉毛、鼻、及び口の顔データの特徴データとをそれぞれ比較して、照合が行われる。
【００６２】
次に、来訪者の顔画像と一致する顔情報が存在するか否かが判断される（Ｓ１４）。来訪者情報１２１０、１２１１に、来訪者の顔画像と一致する顔情報が存在する場合（Ｓ１４：ＹＥＳ）、一致する顔情報に対応する来訪者ＩＤ番号の関連情報が取得され、ＲＡＭ２０３に記憶される（Ｓ１５）。ここで、来訪者の顔画像と一致する顔情報とが存在するということは、来訪者が、過去にこのドアホンが備えられた住居を訪問したことがあることを示す。
【００６３】
次に、親機２０の表示モニタ２１３に来訪者の顔画像とともに、対応する来訪者情報が表示される（Ｓ１６）。本実施形態の図２に示すように、表示モニタ２１３には、取得された来訪者情報に対応する顔画像と、前回の来訪日時情報や、名前、評価情報が表示情報２１６として表示される。よって、室内に居るユーザは、過去にこの住居を訪問したことがある現在の来訪者について、評価が良いのか悪いのか、つまり、不審度が低いのか高いのかを、表示モニタに表示されている来訪者情報により、容易に認識でき、適切な応対措置をすることができる。
【００６４】
そして、上記来訪者情報を確認した上で、室内に居るユーザは、来訪者と通話するかどうかを選択し（Ｓ１７）、通話する場合に押される通話ボタン２１４を押されたと判定した場合（Ｓ１７：ＹＥＳ）、ドアホン装置１では、親機２０と子機１０を通話可能状態にする。
【００６５】
次に、通話可能状態で来訪者と室内にいるユーザとの通話が終わり、再度通話ボタン２１４を押されたか、または通話ボタン２１４の押下から所定時間経過したかによって、通話を終了したと判断した場合（Ｓ１９）、来訪者に対応する顔画像データ、顔特徴データの情報更新処理が実行される（Ｓ２０）。この処理では、来訪者情報１２１０、１２１１に記憶されている前回来訪時の顔情報が、今回、取得した顔情報に更新される。次いで、対応する来訪日時の更新処理が行われる（Ｓ２８）。この処理では、来訪者情報１２１０、１２１１に記憶されている来訪日時情報が、当日の日時情報に更新される。これらの処理により、来訪者に対応する顔情報、及び来訪日時情報が、最新状態で記憶される。なお、このときに、訪問者名、評価情報などを、適宜修正できるようにしてもよい。
【００６６】
また、ステップＳ１７の処理で通話ボタンが、ステップＳ１６でモニタに表示後所定時間押されなかった場合（Ｓ１７：ＮＯ）は、室内に居るユーザが来訪者と通話しないと判定し、ステップＳ２０の顔画像データ、顔特徴データの情報更新処理へ移行する。
【００６７】
また、ステップＳ１４の処理にて、図５に示す来訪者情報１２１０、１２１１に来訪者の顔画像データと一致する顔の特徴データが存在しないと判定された場合（Ｓ１４：ＮＯ）、すなわち来訪者が初めての来訪の場合、子機１０から送信された顔画像データが、親機２０のＲＡＭ２０３に記憶され、親機２０の表示モニタ２１３に来訪者の顔画像が表示される（Ｓ２１）。そして、室内に居るユーザは、親機２０の通話ボタン２１４を押し（Ｓ２２）、親機２０と子機１０を通話可能状態にする（Ｓ２３）。次に、通話可能状態で来訪者と室内にいるユーザとの通話が終わり、再度通話ボタン２１４を押されたか、または所定時間経過したかによって、通話を終了したと判断した場合、通話終了処理がされる（Ｓ２４）。
【００６８】
また、ステップＳ２２の処理で通話ボタンが、Ｓ２１でモニタに表示後所定時間押されなかった場合（Ｓ２２：ＮＯ）は、室内に居るユーザが来訪者と通話しないと判定し、ステップＳ２５の顔画像データ、顔特徴データの情報更新処理へ移行する。
【００６９】
そして、通話後、初めての来訪者に対して、不審度が高いか低いかの評価情報記憶処理が行われる（Ｓ２５）。本実施形態では図３の表示モニタ２１３に、表示画面記憶エリア２２２に記憶されている表示情報２１７である“［来訪者情報無し］評価情報を入力してください。”と、表示情報２１９“良い”と、表示情報２１８“悪い”という指示画面が表示される。そして、室内に居るユーザが来訪者に対して不審度が低いと評価した場合は、“良い”と表示されている表示情報２１９を押され、来訪者情報１２１０に、新規来訪者ＩＤと対応付けて評価情報に“良い”として記憶される。また、来訪者に対して不審度が高いと評価した場合は、“悪い”と表示されている表示情報２１８を押され、来訪者情報１２１１に、新規来訪者ＩＤと対応付けて評価情報“悪い”として記憶される。また、所定時間何も入力が無い場合は、来訪者情報として記憶しないようにすれば良い。
【００７０】
続いて、上記初めての来訪者に関する顔画像データと、顔特徴データが、ステップＳ２５の処理で記憶された評価情報に対応して、来訪者情報１２１０か、１２１１に記憶される（Ｓ２６）。なお、Ｓ２２で通話ボタン２１４を押さなかった場合、評価情報がない状態で、来訪者ＩＤ、顔画像データ、顔特徴データを記憶するようにしてもよい。そして、来訪者の名前が判っている場合は、名前情報記憶処理が実行される（Ｓ２７）。名前情報の入力方法については、図示は省略するが、図２の表示モニタ２１３にキーボード画面等を表示させ、ユーザにより名前情報が入力されると、来訪者情報１２１０か、または１２１１に記憶された訪問者ＩＤと対応付けられて、訪問者名欄に名前情報が記憶される。また、ステップＳ２６の処理で所定時間何も入力が無い場合は、訪問者名欄は空欄のまま記憶される。
【００７１】
そして、ステップＳ２０、もしくはＳ２７の処理後、来訪日時情報記憶処理が実行され（Ｓ２８）、来訪者に対応する来訪者ＩＤの来訪日時情報が記憶される。
【００７２】
次いで、記憶可能容量値取得処理が実行され（Ｓ２９）、来訪者情報記憶エリア２２１に、後どれくらいの容量の情報が記憶可能かどうかの値である記憶可能容量値が取得される。本実施形態では、来訪者情報記憶エリア２２１には説明便宜上、データサイズ“１１００”が記憶できるとする。図５の来訪者情報１２１０，１２１１の時点での記憶容量は、データ形態ＩＤ：１に対応する来訪者情報が１０名分で、データサイズ“１０００”が記憶されているので、上記記憶可能容量値“１００”が取得される。そして、Ｓ２９で取得された記憶可能容量値が、所定値以下かどうかが判断される（Ｓ３０）。ここで言う所定値とは、予め親機２０のＲＯＭ２０２に記憶されている設定値であり、少なくとも新たな来訪者情報が追加される場合の記憶容量の最大値以上に設定されている。本実施形態では、来訪者情報記憶エリア２２１に新たな来訪者情報が記憶されると、図６により、データ形態が初期に対応するデータサイズ１００が追加されるとしているので、所定値は“１１０”に設定されているとする。したがって、図５の状態では、記憶可能容量値“１００”が所定値“１１０”以下と判定され（Ｓ３０：ＹＥＳ）、次いで、来訪者情報処理（Ｓ４０）が実行され、再度ステップＳ２９の処理へ戻り、所定値以下になるまで繰り返し来訪者情報処理（Ｓ４０）が実行される。
【００７３】
また、Ｓ３０の処理で、所定値以下でないと判断された場合（Ｓ３０：ＮＯ）は、メイン処理が終了する。
【００７４】
次に、図８を参照して、来訪者情報処理（Ｓ４０）について説明する。まず、評価結果が“良い”で、来訪日時が所定期間以前の来訪者情報の中に、データの形態ＩＤ：１に対応する来訪者情報が存在するかどうかが判断される（Ｓ４１）。ここでの所定期間以前とは、例えば本実施形態では１０日以前として説明を進める。図５の来訪者情報は、来訪者情報１２１１の来訪者ＩＤ：１０が追加記憶された時点とすると、現在日時情報は、２００８／０９／１８  １８：００となる。よって、来訪者情報１２１０の中で、来訪日時情報が現在より所定期間である１０日以前に該当し、データ形態ＩＤ：１に対応する来訪者ＩＤは、００２、００３、００５、００６が存在すると判断される。その中で、来訪日時情報が最も古い来訪者を抽出して（Ｓ４２）、対応する顔画像データと顔特徴データに対して圧縮処理を実行する（Ｓ４３）。そして、対応する来訪者ＩＤのデータの形態ＩＤを２に更新記憶して（Ｓ４４）、処理を終了する。図５では、来訪者情報１２１０の来訪者ＩＤ：００２の顔画像データと顔特徴データが圧縮処理され、データ形態ＩＤが２に更新記憶される。したがって、来訪者ＩＤ：００２の対応するデータサイズが、“１００”から“５０”へ圧縮されるので、図５での来訪者情報の全データサイズが９５０に削減され、図７のステップＳ２９へ戻って、記憶可能容量値“１５０”が取得されて、次のステップＳ３０にて所定値１１０以下では無いと判断され（Ｓ３０：ＮＯ）処理が終了する。
【００７５】
そして、来訪者情報が追加記憶されると、ステップＳ４１で、評価“良い”来訪者情報の来訪日時情報が所定期間以前に存在している間は、その来訪者情報の中にデータ形態が初期であるＩＤ：１が存在するかどうかを判断し、データ形態が初期の来訪者情報のうち古い来訪者情報（図５の来訪者情報１２１０の来訪者ＩＤ：００３の情報）が圧縮処理される。このように来訪者情報が追加記憶されるごとに、古い来訪者情報から順次圧縮処理される。ステップＳ４１で、評価“良い”来訪者情報の来訪日時情報が所定期間以前の中に、データ形態が初期であるＩＤ：１が存在しないと判断された場合（Ｓ４１：ＮＯ）、次に評価“悪い”来訪者情報の来訪日時情報が所定期間以前の中にデータ形態が初期のＩＤ：１が存在するかどうかが判断される（Ｓ５０）。例えば、図９の来訪者情報１２２０、１２２１を参照して説明すると、図９は図５の来訪者情報から時間が経過して、訪問者ＩＤ：０１２が追加記憶された時点の情報とすると、ステップＳ４１に該当する来訪者ＩＤが存在しないので（Ｓ４１：ＮＯ）、評価“悪い”来訪者情報１２２１の中で来訪日時が所定期間以前の中にデータ形態ＩＤ：１が存在するかどうかが判断される（Ｓ５０）。そこで、来訪者ＩＤ：００１、００４、００７、００８が存在すると判断され（Ｓ５０：ＹＥＳ）、その中で来訪日時が最も古い来訪者ＩＤ：００１がさらに抽出され（Ｓ５１）、対応する顔画像データと顔特徴データの圧縮処理を実行する（Ｓ４３）。次のステップＳ４４は前述と同じである。この処理が、上記場合と同様に来訪者情報１２２１の中で古い来訪者情報から順次行われる。
【００７６】
さらに、来訪者情報が追加記憶され、ステップＳ５０にて、評価“悪い”来訪者情報の来訪日時情報が所定期間以前の中にデータ形態が初期の情報が存在しないと判断された場合（Ｓ５０：ＮＯ）、次は評価結果が“良い”で、来訪日時が所定期間以前の来訪者情報の中に、データ形態が圧縮であるＩＤ：２に対応する来訪者情報が存在するかどうかが判断される（Ｓ６０）。
【００７７】
図１０の来訪者情報１２３０、１２３１を参照して説明すると、図１０は、図９の来訪者情報から時間が経過して、訪問者ＩＤ：０１４が追加記憶された時点の情報とすると、本実施形態で所定期間と設定された１０日以前の来訪日時情報に対応する来訪者ＩＤは、ＩＤ：００２、００３、００５、００６が存在すると判断され（Ｓ６０：ＹＥＳ）、その中で来訪日時が最も古い来訪者ＩＤ：００２がさらに抽出される（Ｓ６１）。そして抽出された来訪者ＩＤ：００２に対応する顔画像データが削除され（Ｓ６２）、対応するデータの形態ＩＤが形態ＩＤ：３に記憶更新処理が実行され（Ｓ６３）、処理が終了する。この処理が上記場合と同様に来訪者情報１２２０の中で古い来訪者情報から順次行われる。
【００７８】
さらに、来訪者情報が追加記憶され、ステップＳ６０にて、評価“良い”来訪者情報の来訪日時情報が所定期間以前の中にデータ形態ＩＤ：２が存在しないと判断された場合（Ｓ６０：ＮＯ）、次に評価結果が“良い”で、来訪日時が所定期間以前の来訪者情報の中に、データの形態ＩＤ：３に対応する来訪者情報が存在するかどうかが判断される（Ｓ７０）。
【００７９】
図１１の来訪者情報１２４０、１２４１を参照して説明すると、図１１は図１０の来訪者情報から時間がさらに経過して、訪問者ＩＤ：０１５が追加記憶された時点の情報とすると、本実施形態で所定期間と設定された１０日以前の来訪日時情報に対応する来訪者ＩＤは、ＩＤ：００２、００３、００５、００６が存在すると判断され（Ｓ７０：ＹＥＳ）、その中で来訪日時が最も古い来訪者ＩＤ：００２がさらに抽出される（Ｓ７１）。そして抽出された来訪者ＩＤ：００２に対応する来訪者情報が削除され（Ｓ７２）、来訪者情報１２４０から来訪者ＩＤ：００２が無くなり、処理が終了する。
【００８０】
さらに、来訪者情報が追加記憶され、ステップＳ７０にて、評価“良い”来訪者情報の来訪日時情報が所定期間以前の中にデータ形態ＩＤ：３が存在しないと判断された場合（Ｓ７０：ＮＯ）、評価“悪い”来訪者情報の中で最も来訪日時が古い来訪者情報が抽出され（Ｓ８０）、ステップＳ７２の来訪者情報削除処理が実行される。
【００８１】
したがって、上記来訪者情報処理により、来訪者情報記憶エリア２２１の記憶可能容量値が所定値以下になった場合でも、ドアホンのユーザにとって不審度が低く、来訪日時が古い来訪者情報から情報処理を施し、不審度の高い来訪者情報をできるだけ多く記憶維持できるので、来訪者情報記憶エリア２２１に記憶できる最大限の来訪者情報を、最適な記憶状態で維持することができる。
【００８２】
なお、上記実施形態では、評価“良い”来訪者情報を圧縮処理した後、一部のデータを削除しているが、一部のデータを削除した後、圧縮するようにしても差し支えない。また、ステップＳ４１、５０、６０、７０で、同じ所定期間を用いているが、順次長くするなど任意に設定することができる。
【００８３】
本実施形態では、フラッシュＲＯＭ２２０に記憶されている来訪者情報記憶エリア２２１が「来訪者情報記憶手段」に相当する。また来訪者情報記憶エリア２２１に記憶されている来訪者情報の中で、来訪者の評価をした情報の“悪い”が、「第１評価値」に相当し、評価情報“良い”が、「第２評価値」に相当する。
【００８４】
図７のステップＳ１１にて、子機１０に備えられた呼び出しボタン１１４から信号を受信するＣＰＵ２０１が「来訪者検出手段」に相当し、ステップＳ１２で、カメラ１１３で撮影された画像信号を受信するＣＰＵ２０１が「識別情報取得手段」に相当し、ステップＳ２４、Ｓ２６の処理を行うＣＰＵ２０１が、「来訪者情報入力手段」に相当する。
【００８５】
図７のステップ２８にて、記憶可能容量値を取得する処理を行うＣＰＵ２０１が、「記憶可能容量値取得手段」に相当し、ステップＳ２９にて記憶可能容量値が、所定値以下かどうかを判定するＣＰＵ２０１が「判定手段」に相当し、ステップＳ４０にて、来訪者情報処理を行うＣＰＵ２０１が、「来訪者情報処理手段」に相当する。
【００８６】
図８のステップＳ４３の圧縮処理を行うＣＰＵ２０１が、「圧縮手段」に相当し、ステップＳ４１、Ｓ５０、Ｓ６０、Ｓ７０での判断処理を行うＣＰＵ２０１が「圧縮状態判別手段」に相当する。
【図面の簡単な説明】
【００８７】
【図１】ドアホン装置１の電気的構成を示すブロック図である。
【図２】親機２０の外観正面図である。
【図３】親機２０の外観正面図である。
【図４】フラッシュＲＯＭ２２０の構成図である。
【図５】来訪者情報１２１０、１２１１の説明図である。
【図６】データ形態情報１２１２について説明図である。
【図７】メイン処理のフローチャートである。
【図８】来訪者情報処理のフローチャートである。
【図９】来訪者情報１２２０、１２２１の説明図である。
【図１０】来訪者情報１２３０、１２３１の説明図である。
【図１１】来訪者情報１２４０、１２４１の説明図である。
【符号の説明】
【００８８】
１  ドアホン装置
１０  子機
２０  親機
２２０  フラッシュＲＯＭの構成図
１２１０  来訪者情報
１２１２  データ形態情報
【図１】
2010087695.tif 000003
【図２】
2010087695.tif 000004
【図３】
2010087695.tif 000005
【図４】
2010087695.tif 000006
【図５】
2010087695.tif 000007
【図６】
2010087695.tif 000008
【図７】
2010087695.tif 000009
【図８】
2010087695.tif 000010
【図９】
2010087695.tif 000011
【図１０】
2010087695.tif 000012
【図１１】
2010087695.tif 000013